(57)【要約】【課題】現場で位置変更が可能な家具システムを提供する。【解決手段】家具システム１０２は、家具６と、天井面Ｃ及び床面Ｆにそれぞれ固定され、家具６を支持するレール１Ｂ，２Ｂと、を備え、家具６は、上端部及び下端部の少なくとも一方が、対応するレール１Ｂ，２Ｂに係止される被係止部６２と、家具６の内外の空間Ｒ，Ｔを仕切るパネル６５と、を有し、家具６は、天井面Ｃに固定されたレール１Ｂに係止された被係止部６２が設けられた天板６１と、床面Ｆに固定されたレール２Ｂに取り付けられた底板６３と、天板６１及び底板６３に連結され、後方に設置された背板６５と、天板６１及び底板６３に連結され、側方に設置された側板と、を有することを特徴とする。【選択図】図３
2018192003.tif 000002
【特許請求の範囲】
【請求項１】
家具と、
天井面及び床面にそれぞれ固定され、前記家具を支持するレールと、を備え、
前記家具は、
上端部及び下端部の少なくとも一方が、対応する前記レールに係止される被係止部と、
前記家具の内外の空間を仕切るパネルと、を有することを特徴とする家具システム。
【請求項２】
前記家具は、
前記天井面に固定された前記レールに係止された前記被係止部が設けられた天板と、
前記床面に固定された前記レールに取り付けられた底板と、
前記天板及び前記底板に連結され、後方に設置された背板と、
前記天板及び前記底板に連結され、側方に設置された側板と、を有することを特徴とする請求項１に記載の家具システム。
【請求項３】
前記背板は、前記家具の内外の空間を仕切る前記パネルとして機能することを特徴とする請求項２に記載の家具システム。
【請求項４】
前記天井面に固定された前記レールの下面には、上方に向かって凹む凹条が形成され、
前記被係止部は、前記家具の上面から上方に向かって突出し、前記凹条に嵌合可能に構成されていることを特徴とする請求項１から３のいずれか一項に記載の家具システム。
【発明の詳細な説明】
【技術分野】
【０００１】
本発明は、家具システムに関するものである。
【背景技術】
【０００２】
従来から、マンション等の集合住宅や戸建住宅等には、衣類や寝具等の物品を収納可能な収納家具が設置されている。収納家具として、モジュール化された箱物、棚板や扉等を間仕切り等に取り付けたシステム収納家具が知られている（下記の特許文献１参照）。
【先行技術文献】
【特許文献】
【０００３】
【特許文献１】特開２０１１−４２７号公報
【発明の概要】
【発明が解決しようとする課題】
【０００４】
上記のシステム収納家具の場合には、住宅への入居前に、間取りを決めるとともにシステム収納家具の設置位置や大きさ等を決定して、間仕切り等にシステム収納家具を取り付ける。このため、入居後に、システム収納家具の位置変更をすることが難しいという問題点がある。
【０００５】
そこで、本発明は、上記事情に鑑みてなされたものであり、住戸内で位置変更が可能な家具システムを提供する。
【課題を解決するための手段】
【０００６】
上記目的を達成するために、本発明は以下の手段を採用している。
すなわち、本発明に係る家具システムは、家具と、天井面及び床面にそれぞれ固定され、前記家具を支持するレールと、を備え、前記家具は、上端部及び下端部の少なくとも一方が、対応する前記レールに係止される被係止部と、前記家具の内外の空間を仕切るパネルと、を有することを特徴とする。
【０００７】
このように構成された家具システムでは、住戸内で、天井面及び床面にレールを固定する。予め工場等で家具を製造しておけば、家具を運搬してきて、家具の上端部及び下端部の少なくとも一方を対応するレールに対して係止させることで、家具が位置決めされる。上端部及び下端部の他方を他方のレールに支持させることで、家具が天井と床との間に設置される。また、家具のパネルは、家具の内外の空間を仕切る。よって、プランに応じて、所望の箇所にレールを固定してレールに家具を係止させれば、パネルにより空間が仕切られるとともに家具を設置できるため、住戸内での位置変更が可能である。
【０００８】
また、本発明に係る家具システムは、前記家具は、前記天井面に固定された前記レールに係止される前記被係止部が設けられた天板と、前記床面に固定された前記レールに取り付けられた底板と、前記天板及び前記底板に連結され、後方に設置された背板と、前記天板及び前記底板に連結され、側方に設置された側板と、を有することが好ましい。
【０００９】
このように構成された家具システムでは、家具の天板の被係止部を天井面に固定されたレールに沿ってスライド移動させるため、家具の下部をレールに沿ってスライドさせるよりも、スライドさせやすい。また、底板を床面に固定されたレールに取り付けるため、家具を安定して設置することができる。また、天板、底板、背板及び側板により形成された空間内に、物品を収納することができる。
【００１０】
また、本発明に係る家具システムは、前記背板は、前記家具の内外の空間を仕切る前記パネルとして機能してもよい。
【００１１】
このように構成された家具システムでは、家具の背板が後方の空間と背板よりも前方の空間とを仕切る間仕切りとしても機能する。
【００１２】
また、本発明に係る家具システムは、前記天井面に固定された前記レールの下面には、上方に向かって凹む凹条が形成され、前記被係止部は、前記家具の上面から上方に向かって突出し、前記凹条に嵌合可能に構成されていてもよい。
【００１３】
このように構成された家具システムでは、家具の被係止部を天井面に固定されたレールの凹条に嵌合させて、家具をレールに取り付けることができるため、家具を作業性良く設置することができる。
【発明の効果】
【００１４】
本発明に係る家具システムによれば、住戸内で位置変更が可能である。
【図面の簡単な説明】
【００１５】
【図１】本発明の一実施形態に係る家具システムを示す図である。
【図２】図１のＡ−Ａ線断面図である。
【図３】図１のＢ−Ｂ線断面図である。
【図４】図１の要部の拡大図である。
【発明を実施するための形態】
【００１６】
本発明の一実施形態に係る壁システムについて、図面を用いて説明する。
図１は、本発明の一実施形態に係る家具システムを示す図である。図１において、後述する背板及び側板の設置個所をハッチングで示している。
図１に示すように、本実施形態に係る壁システム１００は、例えば、マンションやアパート等の集合住宅に設置されるものであるが、戸建等の一般の住宅等にも設置可能である。
【００１７】
壁システム１００は、離間して配置された２枚の間仕切りパネル３を有する間仕切りシステム１０１と、２枚の間仕切りパネル３の間に設置され物品を収納可能な家具システム１０２と、を備えている。
なお、下記の説明において、便宜上、利用者が家具システム１０２に対向する方向を「奥行方向（前後方向）」と称し、利用者が立つ側を「前側」、その反対側を「後側」と称することがある。また、前後方向と直交する水平方向を「左右方向」と称することがある。
【００１８】
まず、間仕切りパネル３を備えた間仕切りシステム１０１について説明する。
図２は、図１のＡ−Ａ線断面図である。
図２に示すように、間仕切りシステム１０１は、上レール１Ａと、下レール２Ａと、間仕切りパネル３と、を備えている。間仕切りシステム１０１により、隣り合う空間Ｒ，Ｔが区画されている。
【００１９】
上レール１Ａは、天井面Ｃに固定され、２枚の間仕切りパネル３の上方に、左右方向に沿って配置されている。
【００２０】
上レール１Ａは、一方向の延びる上支持部１１と、上支持部１１の表裏面に設けられた一対の上化粧部１２と、上支持部１１に固定された上レール部１３と、を有している。上レール１Ａは、例えば木材や鋼材等で構成されている。
【００２１】
上支持部１１は、間仕切りパネル３の厚さ方向（前後方向）に沿う断面において、略矩形状をなしている。上支持部１１は天井面Ｃと僅かに間隔を有して配置されている。なお、本実施形態では、上支持部１１の断面寸法は、例えば幅（間仕切りパネル３の厚さ方向に沿う寸法）５０ｍｍ、高さ６０ｍｍとされている。
【００２２】
各上化粧部１２は、上端が天井面Ｃに当接して配置されている。上化粧部１２の下端は、上支持部１１の下端と揃うように配置されている。
【００２３】
上支持部１１の下面（上レール１Ａの下面）１１ｂには、上方に凹む上レール凹溝（凹条）１１ａが形成されている。上レール凹溝１１ａには、上レール部１３が嵌め込まれている。上レール部１３は、上支持部１１の下面１１ｂよりも下方に突出している。上レール部１３は、間仕切りパネル３の厚さ方向に沿う断面において、略矩形状をなしている。
【００２４】
上レール部１３は、下方からビス等の固定具１３ｚで上支持部１１に固定されている。上支持部１１は、上レール凹溝１１ａからビス等の固定具１１ｚで天井面Ｃに固定されている。
【００２５】
下レール２Ａは、床面Ｆに固定され、２枚の間仕切りパネル３の下方に、左右方向に沿って配置されている。
【００２６】
下レール２Ａは、一方向の延びる下支持部２１と、下支持部２１の表裏面に設けられた一対の下化粧部２２と、下支持部２１に固定された下レール部２３と、を有している。下レール２Ａは、例えば木材や鋼材等で構成されている。
【００２７】
下支持部２１は、間仕切りパネル３の厚さ方向に沿う断面において、略矩形状をなしている。下支持部２１は、床面Ｆに設置されている。なお、本実施形態では、下支持部２１の断面寸法は、例えば幅（間仕切りパネル３の厚さ方向に沿う寸法）５０ｍｍ、高さ３５ｍｍとされている。
【００２８】
各下化粧部２２は、下端が床面Ｆに当接して、上端が下支持部２１の上端と揃うように配置されている。
【００２９】
下支持部２１の上面２１ｕには、下方に凹む下レール凹溝２１ａが形成されている。下レール凹溝２１ａには、下レール部２３が嵌め込まれている。下レール部２３は、下支持部２１の上面２１ｕよりも上方に突出している。下レール部２３は、間仕切りパネル３の厚さ方向に沿う断面において、略矩形状をなしている。
【００３０】
下レール部２３は、上方からビス等の固定具２３ｚで下支持部２１に固定されている。下支持部２１は、下レール凹溝２１ａからビス等の固定具２１ｚで床面Ｆに固定されている。
【００３１】
間仕切りパネル３は、板状に形成されている。間仕切りパネル３は、矩形状に形成された四方枠３０と、四方枠３０の内部に設けられた芯材部４１と、四方枠３０の両面に設けられた表面材４２と、を有している。本実施形態では、間仕切りパネル３の寸法は、例えば、高さ２３９５ｍｍ、厚さ６０ｍｍとされている。
【００３２】
四方枠３０は、上桟３１、下桟３２及び縦桟３３（図１参照）を有している。上桟３１、下桟３２及び縦桟３３は、左右方向に延び、間仕切りパネル３の厚さ方向に沿う断面において、断面視矩形状に形成されている。
【００３３】
上桟３１の上面３１ｕには、下方に凹む上凹溝３１ａが形成されている。上凹溝３１ａは、上桟３１の延在方向（左右方向）に沿って形成されている。上凹溝３１ａには、上レール１Ａの上レール部１３がスライド移動可能に嵌め込まれている。
【００３４】
下桟３２の下面３２ｂには、上方に凹む下凹溝３２ａが形成されている。下凹溝３２ａは、下桟３２の延在方向（左右方向）に沿って形成されている。下凹溝３２ａには、下レール２Ａの下レール部２３がスライド移動可能に嵌め込まれている。
【００３５】
芯材部４１として、例えば、紙や樹脂の材料でハニカム形状に形成されたハニカムコアを採用することができる。
【００３６】
表面材４２は、化粧が施された板材であり、例えばオレフィンシートが貼られた化粧版を採用することができる。
【００３７】
次に、家具システム１０２について説明する。
図３は、図１のＢ−Ｂ線断面図である。
図３に示すように、家具システム１０２は、上レール１Ｂと、支輪４と、下レール２Ｂと、台輪５と、隣接配置された２個の家具ユニット（家具）６と、を備えている。本実施形態に係る家具ユニット６は、内部に衣類や寝具等の物品が収納可能な家具として使用可能である。
【００３８】
上レール１Ｂは、上支持部１１と、上化粧部１２と、を有している。つまり、家具システム１０２の上レール１Ｂは、間仕切りシステム１０１の上レール１Ａの上支持部１１及び上化粧部１２が連続して配置され、上レール部１３が設けられていない構成である。
【００３９】
支輪４は、天井面Ｃに沿って配置された上板部５１と、上板部５１の前端部に設けられた支輪基部５２と、支輪基部５２の前端面に設けられた上前板５３と、を有している。
【００４０】
支輪基部５２は、上レール１Ｂと平行に配置されている。支輪基部５２の左右方向の長さは、家具ユニット６の左右方向の長さと略同一である。本実施形態では、上前板５３は前後２枚で構成されている。
【００４１】
下レール２Ｂは、下支持部２１と、下化粧部２２と、下支持部２１の下レール凹溝２１ａに嵌め込まれた埋木２６と、を有している。つまり、家具システム１０２の下レール２Ｂは、間仕切りシステム１０１の下レール２Ａの下支持部２１及び下化粧部２２が連続して配置され、下レール２Ｂの下レール凹溝２１ａには下レール部２３に替えて埋木２６が嵌め込まれている。
【００４２】
埋木２６は、間仕切りパネル３の厚さ方向に沿う断面において、略矩形状をなしている。埋木２６は、上面からビス等の固定具２６ｚで、下支持部２１に固定されている。埋木を固定する固定具２６ｚは、下支持部２１を固定する固定具２１ｚとは左右方向に位置をずらして設けられている。埋木２６の上面は、下支持部２１の上面と同一平面上に配置されている。
【００４３】
台輪５は、下レール２Ｂよりも前方に配置された台輪基部５４と、台輪基部５４の前端面に設けられた下前板５５と、を有している。
【００４４】
台輪基部５４は、下レール２Ｂと平行に配置されている。台輪基部５４の左右方向の長さは、家具ユニット６の左右方向の長さと略同一である。
【００４５】
下レール２Ｂと台輪５とは、前後方向に延びる側部支持体５６（図１参照）で連結されている。側部支持体５６は、床面Ｆに不図示の固定具等により固定されている。側部支持体５６は、正面視左側に配置される家具ユニット６の左端部及び正面視右側に配置される家具ユニット６の右端部設けられている。側部支持体５６の高さは、下レール２Ｂ及び台輪５の高さと略同一であることが好ましい。
【００４６】
図１及び図３に示すように、各家具ユニット６は、天板６１と、天板６１と対向配置された底板６３と、天板６１と底板６３とを連結し後方に配置された背板（パネル）６５と、天板６１と底板６３とを連結し両側方（左右両側）に配置された側板６７と、を有している。天板６１、底板６３、背板６５及び側板６７は、それぞれ板状に形成され、例えば合板等の木材により形成されている。背板６５は、家具ユニット６の内外の空間を仕切るパネルとして機能している。なお、家具ユニット６の内部には、棚板等が適宜設置可能である。
【００４７】
天板６１は、家具ユニット６の上部に設けられ、略水平面に沿って配置されている。底板６３は、家具ユニット６の下部に設けられ、略水平面に沿って配置されている。背板６５は、天板６１の後端部と底板６３の後端部とを連結し、略鉛直面に沿って配置されている。側板６７は、天板６１の左右端部と底板６３の左右端部とを連結し、略鉛直面に沿って配置されている。
【００４８】
天板６１の上面６１ｕには、下方に凹む家具凹溝６１ａが形成されている。家具凹溝６１ａには、被係止部６２が嵌め込まれている。
【００４９】
被係止部６２は、左右方向に沿って延びている。被係止部６２は、天板６１の上面６１ｕよりも上方に突出している。被係止部６２は、間仕切りパネル３の厚さ方向（家具ユニット６の奥行方向）に沿う断面において、略矩形状をなしている。被係止部６２は、天板６１の下面６１ｂからビス等の固定具６１ｚで固定されている。
【００５０】
被係止部６２は、上レール１Ｂの上レール凹溝１１ａにスライド移動可能に嵌め込まれている。天板６１の上面６１ｕと上レール１Ｂの下面１１ｂとの間には隙間Ｓが形成されている。
【００５１】
天板６１は、下面６１ｂからビス等の固定具６１ｙで支輪４の支輪基部５２に固定されている。天板６１の前端部は、上前板５３よりも前方まで延びている。
【００５２】
底板６３は、上面６３ｕからビス等の固定具６３ｚで、下レール２Ｂの下支持部２１に固定されている。また、底板６３は、上面６３ｕからビス等の固定具６３ｙで、台輪５の台輪基部５４及び床面Ｆに固定されている。
【００５３】
図４は、図１の要部の拡大図である。
図４に示すように、側板６７は、隣接する間仕切りパネル３側から、ビス等の固定具３４ｚで固定されている。
【００５４】
次に、上記の壁システム１００の施工方法について説明する。
まず、上レール１Ａ，１Ｂを天井面Ｃに固定具１１ｚで固定し、下レール２Ａ，２Ｂを床面Ｆに固定具２１ｚで固定する。なお、家具ユニット６が配置される箇所では、上レール部１３を設けないとともに、下レール２Ｂの下レール凹溝２１ａには下レール部２３に替えて埋木２６を嵌め込んで、埋木２６を固定具２６ｚで固定しておく。
【００５５】
次に、予め工場等で製造しておいた間仕切りパネル３を用意する。左右方向の一方側に、間仕切りパネル３を配置する。間仕切りパネル３の上凹溝３１ａ及び下凹溝３２ａに、それぞれ上レール１Ａの上レール部１３及び下レール２Ａの下レール部２３を嵌め込み、所定の位置まで上レール１Ａ及び下レール２Ａに沿ってスライドさせて、間仕切りパネル３を設置する。
【００５６】
次に、家具ユニット６の設置箇所の前部に沿って、床面Ｆに台輪５を設置する（この段階では、台輪５は仮置きでもよい）。予め工場等で製造しておいた家具ユニット６を用意する。左右方向の一方側に、家具ユニット６を配置する。家具ユニット６の天板６１の被係止部６２を上レール１Ｂの上レール凹溝１１ａに嵌め込むとともに、底板６３を下レール２Ｂに支持させる。そして、所定の位置まで上レール１Ｂ及び下レール２Ｂに沿ってスライドさせて、家具ユニット６を設置する。
【００５７】
そして、底板６３を固定具６３ｙ，６３ｚで台輪５及び下レール２Ｂに固定する。天板６１と天井面Ｃとの間に支輪４を配置して、天板６１を固定具６１ｙで支輪４に固定する。
【００５８】
順次、間仕切りパネル３と上記のように設置していく。
なお、図４に示すように、間仕切りパネル３の縦桟３３内に配置される支持桟３４に家具ユニット６の側板６７を予め固定具３４ｚで固定しておいて、家具ユニット６と支持桟３４とを一体として所望の位置までスライド移動して、縦桟３３に形成されて凹溝３５に支持桟３４を嵌め込む構成でもよい。
【００５９】
このように構成された壁システム１００では、住戸内で、天井面Ｃ及び床面Ｆにそれぞれ上レール１Ａ，１Ｂ及び下レール２Ａ，２Ｂを固定する。予め工場等で家具ユニット６を製造しておけば、家具ユニット６を運搬してきて、家具ユニット６の被係止部６２を上レール１Ｂに対して係止させることで、家具ユニット６が位置決めされる。家具ユニット６の底板６３を下レール２Ｂに支持させることで、家具ユニット６が天井面Ｃと床面Ｆとの間に設置される。また、家具ユニット６の背板６５は、家具ユニット６の内外の空間を仕切るパネルとして機能する。よって、プランに応じて、所望の箇所に上レール１Ｂ及び下レール２Ｂを固定して上レール１Ｂに家具ユニット６を係止させれば、背板６５により空間Ｒ，Ｔを仕切られるとともに家具ユニット６を設置できるため、住戸内での位置変更が可能であるとともに、作業性良い。
【００６０】
さらに、背板６５よりも前方の空間Ｒと背板６５よりも後方の空間Ｔとを仕切る間仕切り等を別途設置する手間が省かれるため、住戸内での施工工数を削減でき、現場での施工性が向上される。
【００６１】
また、空間を仕切る間仕切りと家具とを別々に設置する場合には、家具の前後方向に間仕切りの厚み分及び家具の厚み分の空間が必要だが、壁システム１では、背板６５が空間を仕切る間仕切りの機能を兼ねているので、家具ユニット６の厚み分の空間があればよい。よって、前後方向の厚みを抑えて、狭い空間にも設置することができる。
【００６２】
また、天板６１、底板６３、背板６５及び側板６７により形成された空間内に、物品を収納することができる。
【００６３】
また、家具ユニット６は支輪４、下レール２Ｂ及び台輪５に固定具６１ｙ，６３ｙ，６３ｚで固定されているため、家具ユニット６の転倒を防止でき、安定して設置することができる。
【００６４】
家具ユニット６の仕上げ材（例えば天板６１、底板６３、背板６５及び側板６７等の仕上げ材）を間仕切りパネル３の表面材４２と共通のデザインとすることで、意匠性を高めることができる。
【００６５】
また、家具ユニット６の天板６１の被係止部６２を上レール１Ｂに沿ってスライド移動させるため、家具ユニット６の下部をレールに沿ってスライドさせるよりも、スライドさせやすい。さらに、家具ユニット６の天板６１の上面６１ｕと上レール１Ｂの下面１１ｂとの間には隙間Ｓが形成されているため、家具ユニット６をスライド移動する際には、天板６１と上レール１Ｂとが干渉することなく、スライドさせやすい。
【００６６】
なお、上述した実施の形態において示した組立手順、あるいは各構成部材の諸形状や組み合わせ等は一例であって、本発明の主旨から逸脱しない範囲において設計要求等に基づき種々変更可能である。
【００６７】
例えば、上記に示す実施形態では、家具ユニット６として、物品が収納可能な収納家具を例に挙げて説明したが、本発明はこれに限られない。例えば、上端部及び下端部の少なくとも一方が対応するレールに係止されたパネルと、パネルの前面に沿って設けられたデスクとを備えたデスク装置や他の家具であってもよい。
【００６８】
また、上記に示す実施形態では、家具ユニット６の上端部が上レール１Ｂに係止される例を挙げて説明したが、本発明はこれに限られない。家具ユニット６の下端部が下レール２Ｂに係止される構成であってもよいし、家具ユニット６の上端部及び下端部の両方がそれぞれ上レール１Ｂ及び下レール２Ｂに係止される構成であってもよい。
【００６９】
また、上記に示す実施形態では、家具ユニット６には、対応するレール側に向かって突出する被係止部が設けられているが、本発明はこれに限られない。家具ユニット６（例えば、天板等）にレール側と反対側に向かって凹む部分を設けると、天板等の部材の厚みを厚くする必要があるが、家具にレール側と反対側に向かって凹む部分が設けられ、家具側に向かって突出する部分が設けられ、これらの部分が互いに係止する構成であってもよい。
【００７０】
また、上記に示す実施形態では、上レール１Ｂの下面１１ｂに、家具ユニット６を係止する部分（凹条）が形成されているが、本発明はこれに限られない。上レール１Ｂの前面等に形成されていてもよい。
【００７１】
また、家具ユニット６の背板６５は、間仕切りパネル３と同様に、四方枠と、芯材と、表面材とを有する構成であってもよい。この場合、背板自体の強度や断熱性を高めることができる。
【符号の説明】
【００７２】
１Ａ，１Ｂ…上レール
２Ａ，２Ｂ…下レール
３…間仕切りパネル
４…支輪
５…台輪
６…家具ユニット（家具）
１１…上支持部
１１ａ…上レール凹溝（凹条）
１２…上化粧部
１３…上レール部
２１…下支持部
２１ａ…下レール凹溝
２２…下化粧部
２３…下レール部
２６…埋木
３０…四方枠
３１…上桟
３１ａ…上凹溝
３２…下桟
３２ａ…下凹溝
３３…縦桟
３４…支持桟
４１…芯材部
４２…表面材
５１…上板部
５２…支輪基部
５３…上前板
５４…台輪基部
５５…下前板
６１…天板
６１ａ…家具凹溝
６２…被係止部
６３…底板
６５…背板（パネル）
６７…側板
１００…壁システム
１０１…間仕切りシステム
１０２…家具システム
Ｃ…天井面
Ｆ…床面
【図１】
2018192003.tif 000003
【図２】
2018192003.tif 000004
【図３】
2018192003.tif 000005
【図４】
2018192003.tif 000006